(57)【特許請求の範囲】
【請求項１】
電源において、エネルギー伝達要素を用いて入力ライン電圧を調整し、調整された電圧を負荷に提供するためのスイッチング調整回路であって、
前記電源の前記エネルギー伝達要素に結合されるスイッチと、
前記スイッチのスイッチングを制御して、前記電源の出力を調整するように結合される駆動信号を生成するコントローラと、
前記スイッチを流れる電流を可変の電流制限値に制限するように前記駆動信号を調整する、前記コントローラ内部に含まれる電流リミタとを備え、
前記可変の電流制限値は、前記スイッチのスキップされたスイッチング・サイクルの後の不連続導通動作モードにおいて生じる第１のスイッチング・サイクル中に、過電流条件が存在しない場合、第１の電流制限値に設定され、
前記可変の電流制限値は、前記スイッチの前記スキップされたスイッチング・サイクルの後の前記不連続導通動作モードにおいて生じる前記第１のスイッチング・サイクル中に、前記過電流条件が存在する場合、第２の電流制限値に設定され、
前記第１の電流制限値は、前記第２の電流制限値より大きく、
前記過電流条件は、前記スイッチを流れる電流が前記第１の電流制限値を超える状態である、スイッチング調整回路。
【請求項２】
前記第１の電流制限値は、前記エネルギー伝達要素に結合される公称入力ライン電圧、または、比較的低い入力ライン電圧に相当する、請求項１に記載のスイッチング調整回路。
【請求項３】
前記第２の電流制限値は、前記エネルギー伝達要素に結合される比較的高い入力ライン電圧に相当する、請求項１に記載のスイッチング調整回路。
【請求項４】
前記スイッチの前記スキップされたスイッチング・サイクルの後に生じる前記第１のスイッチング・サイクルは、前記電源の不連続導通動作モードに相当する、請求項１に記載のスイッチング調整回路。
【請求項５】
前記エネルギー伝達要素内のエネルギーは、前記スイッチの前記スキップされたスイッ
チング・サイクル中、０になる、請求項１に記載のスイッチング調整回路。
【請求項６】
前記過電流条件は、前記スイッチのスイッチング・サイクル中、前記スイッチの最大オン時間が生じる前、前記スイッチを流れる前記電流が前記可変の電流制限値を超えた場合に生じる、請求項１に記載のスイッチング調整回路。
【請求項７】
前記コントローラを含む集積回路をさらに備える、請求項１に記載のスイッチング調整回路。
【請求項８】
前記集積回路が前記スイッチをさらに含む、請求項７に記載のスイッチング調整回路。
【請求項９】
スイッチング電源において、エネルギー伝達要素を用いて入力ライン電圧を調整し、調整された電圧を負荷に提供するための方法であって、
前記スイッチング電源のスイッチをスイッチングするステップを備え、前記スイッチは、前記エネルギー伝達要素を介するエネルギーの伝達を調整するように、前記スイッチング電源の前記エネルギー伝達要素に結合され、
前記方法は、
前記スイッチのスキップされたスイッチング・サイクルの後の不連続導通動作モードにおいて生じる第１のスイッチング・サイクル中、過電流条件が存在しない場合、前記スイッチング電源に入力される公称入力ライン電圧、または、比較的低い入力ライン電圧を識別するステップと、
前記エネルギー伝達要素に結合された公称入力ライン電圧、または、比較的低い入力ライン電圧が存在する場合、前記スイッチを通る電流を第１の電流制限値に制限するステップと、
ディセーブルされた前記スイッチを伴うスイッチング周期の後の前記不連続導通動作モードにおいて生じる前記第１のスイッチング・サイクル中、前記過電流条件が存在する場合、前記スイッチング電源に入力される比較的高い入力ライン電圧を識別するステップと、
前記エネルギー伝達要素に結合された比較的高い入力ライン電圧が存在する場合、前記スイッチを通る前記電流を第２の電流制限値に制限するステップとをさらに備え、
前記第１の電流制限値は、前記第２の電流制限値より大きく、
前記過電流条件は、前記スイッチを流れる電流が前記第１の電流制限値を超える状態である、方法。
【請求項１０】
前記スイッチを通る前記電流が、可変の電流制限値を超えた場合、前記過電流条件を識別するステップをさらに備え、前記可変の電流制限値は、少なくとも前記第１の電流制限値と前記第２の電流制限値のいずれかである、請求項９に記載の方法。
【請求項１１】
入力ライン電圧を調整し、調整された電圧を負荷に提供するスイッチング電源であって、
前記スイッチング電源の前記入力ライン電圧と、前記スイッチング電源の出力との間に結合されたエネルギー伝達要素と、
前記エネルギー伝達要素の入力に結合されて、前記スイッチング電源の前記入力から前記スイッチング電源の前記出力へのエネルギーの伝達を調整するスイッチと、
前記スイッチに結合されて、前記スイッチのスイッチングを制御するコントローラと、
前記スイッチを通る電流を可変の電流制限値に制限するように、前記コントローラ内部に含まれる電流リミタとを備え、
前記可変の電流制限値は、前記入力ライン電圧が、公称電圧、または、比較的低い電圧である場合、第１の電流制限値に設定され、
前記可変の電流制限値は、前記入力ライン電圧が、比較的高い電圧である場合、第２の電流制限値に設定され、
前記第１の電流制限値は、前記第２の電流制限値より大きい、スイッチング電源。
【請求項１２】
前記入力ライン電圧は、前記スイッチング電源の不連続導通動作モードの第１のスイッチング・サイクル中、過電流条件が存在しない場合、前記公称電圧、または、前記比較的低い電圧である、請求項１１に記載のスイッチング電源。
【請求項１３】
前記入力ライン電圧は、前記スイッチング電源の不連続導通動作モードの第１のスイッチング・サイクル中、過電流条件が存在する場合、前記比較的高い電圧である、請求項１１に記載のスイッチング電源。
【請求項１４】
電源において、エネルギー伝達要素を用いて入力からの電圧を調整し、調整された電圧を負荷に提供するためのスイッチング調整回路であって、
前記電源の前記エネルギー伝達要素に結合されるスイッチと、
前記スイッチに結合されて、出力を調整するように前記スイッチのスイッチングを制御するコントローラとを備え、前記コントローラは、スイッチング期間において前記スイッチを周期的にスイッチングし、
前記コントローラ内部に含まれ、前記スイッチに結合されて、前記スイッチ内の電流が、可変の電流制限を超えると、前記スイッチをオフにする電流リミタをさらに備え、前記電流リミタは、前記スイッチ内の前記電流の値間の時間の測定に応答して、前記可変の電流制限を調整し、
前記電流リミタは、測定された時間を基準時間と比較するとともに、前記測定された時間が前記基準時間未満ではないときには、前記可変の電流制限を第１の電流制限値に設定し、前記測定された時間が前記基準時間未満のときには、前記可変の電流制限を第２の電流制限値に設定するように結合され、
前記第１の電流制限値は、前記第２の電流制限値より大きい、スイッチング調整回路。
【請求項１５】
前記電流リミタは、前記スイッチ内の前記電流が、スイッチング期間内に第１の電流値から第２の電流値まで上昇するのにかかる時間を測定するように結合され、前記電流リミタは、前記測定された時間に応答して、前記可変の電流制限を設定するように結合される、請求項１４に記載のスイッチング調整回路。
【請求項１６】
前記第１の電流値は実質的に０であり、前記第２の電流値は電流制限値である、請求項１５に記載のスイッチング調整回路。
【請求項１７】
前記スイッチング期間中、不連続導通動作モードで動作するように結合される、請求項１４に記載のスイッチング調整回路。
【請求項１８】
前記コントローラと前記スイッチが集積回路内部に含まれる、請求項１４に記載のスイッチング調整回路。
【請求項１９】
エネルギー伝達要素を用いて入力からの電圧を調整し、調整された電圧を負荷に提供するスイッチング電源の出力電力を制限するための方法であって、
前記エネルギー伝達要素に結合されたスイッチをスイッチングして、前記エネルギー伝達要素を介するエネルギーの伝達を調整するステップと、
前記スイッチを流れる電流を、可変の電流制限値に制限するステップとを備え、
前記制限するステップは、
前記スイッチ内の電流が、スイッチング期間内に第１の電流値から第２の電流値まで上昇するのにかかる時間を測定するステップと、
前記測定された時間に応答して、可変の電流制限を調整するステップとを含み、
前記可変の電流制限を調整するステップは、
前記測定された時間を基準時間と比較するステップと、
前記測定された時間が、前記基準時間未満ではない場合、前記可変の電流制限を第１の電流制限値に設定するステップと、
前記測定された時間が、前記基準時間未満である場合、前記可変の電流制限を第２の電流制限値に設定するステップとを含み、
前記第１の電流制限値は、前記第２の電流制限値より大きい、方法。
【請求項２０】
前記第２の電流値まで上昇した前記スイッチ内の前記電流に応答して、前記スイッチをオフにするステップをさらに備え、前記第１の電流値は実質的に０である、請求項１９に記載の方法。
【請求項２１】
スイッチング調整器が、不連続導通動作モードで動作していると判定するステップをさらに備える、請求項１９に記載の方法。
【発明の詳細な説明】
【技術分野】
【０００１】
本発明は、全体として電子回路に関し、より具体的には、スイッチング電源に関する。
【背景技術】
【０００２】
電子機器の電源に関する通常の要件は、電源が出力電力を制限することである。出力電力を制限する１つの理由は、人身傷害を防止するための安全機関の要件を満たすためである。出力電力を制限する別の理由は、過負荷による電子コンポーネントの損傷を回避するためである。
【０００３】
電源は、通常、指定された時間にわたって出力が調整されなくなった場合に応答する自己保護回路を有する。しかし、出力電力が制限されないと、負荷に障害が発生することにより、出力が調整されても、損傷を生じさせたり、規制上の要件を超える電力が消費される可能性がある。このため、自己保護機能は、電源が、余りにも多くの電力を供給する可能性がある場合、効果がないことがある。
【発明の開示】
【発明が解決しようとする課題】
【０００４】
スイッチング電源の出力電力を制限する一般的な方法は、電源の入力における電源スイッチ内の電流を制限することである。最大出力電力はスイッチ内のピーク電流に関する。電気回路の応答に本来備わった遅延により、スイッチ内のピーク電流に関する所望される制限と、スイッチ内の実際の最大ピーク電流の間に差が生じる。その差がより高い入力電圧でより大きくなり、より高い入力電圧では、低い入力電圧のときより最大出力電力が大きくなる。
【課題を解決するための手段】
【０００５】
以下に説明するとおり、電源のスイッチ内の電流を制限することにより、スイッチング電源からの電力が本発明の諸実施態様に従って制限される。一実施態様の場合、スイッチが、電源のエネルギー伝達要素に結合されて、スイッチのスイッチングを制御して、電源の出力を調整する駆動信号をコントローラが生成する。コントローラは、スイッチを通る電流を可変の電流制限値に制限するように駆動信号を調整するための電流リミタを含む。一実施態様の場合、電源の入力ライン電圧に基づく電流リミタが、可変の電流制限値を設定する。例えば、可変の電流制限は、公称入力ライン電圧、または、低い入力ライン電圧に対する公称電流制限値までである。しかし、入力ライン電圧が、比較的高い場合、可変の電流制限は、本発明の教示によれば、低い電流制限値に設定される。一実施態様の場合、コントローラは、電流が２つの値の間を移行するのにどれだけの時間がかかるかを測定することにより、入力電圧の大きさを推定し、次いで、それに応じて、可変の電流制限を調整する。
【０００６】
本発明においては、スイッチに関する可変の電流制限値を電源の入力電圧に応じて調整し、電流が電流制限に達する時点と、スイッチがオフになる時点との間の遅延を補償する。より高い入力電圧に対する低い電流制限値により、高い入力電圧での過度の出力電力が防止される。一実施態様の場合、電源が不連続導通モードで動作している場合、入力電圧は、ゼロの電流の初期値から電流制限に達するのにかかる時間の測定から、間接的に算出される。一般に、設計は、要求される出力電力を供給することができ、スイッチ内の所望の最大ピーク電流と、スイッチ内の実際の最大ピーク電流との間の差を補償することにより、入力電圧の動作範囲を超える最大出力電力を制限することもできる。
【０００７】
以下に説明するとおり、設計の諸要件を満たす、スイッチ内の所望の最大ピーク電流の適切な調整を算出するのに、時間の測定が使用される。スイッチに関する電流制限しきい値が、スイッチの導通中の時間の測定に応答して調整されて、スイッチ内の実際のピーク電流に対する入力ライン電圧の望ましくない影響を補償する。例えば、スイッチのスキップされたスイッチング・サイクル後の第１のスイッチング・サイクル中に、過電流条件が識別されると、本発明のある実施態様では比較的高い入力ライン電圧が示される。
【０００８】
以下に説明するとおり、電源は、スキップされたスイッチング・サイクル後の第１のスイッチング・サイクルにおいて、不連続の導通オペレーション・モードで動作する。その状況では、エネルギー伝達要素内のエネルギーは、スイッチが、次のスイッチング・サイクルでオンになる前に、通常、０になる。したがって、エネルギー伝達要素内のエネルギーが、スイッチング・サイクルの始めに最初に０であって、この第１のスイッチング・サイクル中に過電流条件が生じた場合、本発明の教示によれば、高い入力ライン条件が示され、それに応じて、可変の電流制限がより低い値に設定される。他方、スイッチのスキップされたスイッチング・サイクル後の第１のスイッチング・サイクルで、過電流条件が識別されなかった場合、本発明の教示によれば、電源の入力ライン電圧は、公称である、または、比較的低いものと見なされ、それに応じて、可変電流制限が公称値に設定される。
【発明を実施するための最良の形態】
【０００９】
本発明を、例として、限定としてではなく、添付の図に詳細に示す。
【００１０】
電源において利用することができる電源調整器の諸実施形態を開示する。以下の説明では、本発明の徹底的な理解をもたらすために、多数の特定の詳細を提示する。しかし、その特定の詳細が、本発明を実施するのに使用されなくてもよいことが当業者には明白となろう。実施に関連する周知の方法は、本発明を不明瞭にするのを避けるために、詳細に説明していない。
【００１１】
本明細書全体で、「一実施形態」または「実施形態」について述べることは、その実施形態に関連して説明される特定の特徴、構造、または特性が、本発明の少なくとも１つの実施形態に含まれることを意味する。このため、本明細書全体の様々な箇所における「一実施形態の場合」または「ある実施形態では」という句の出現は、必ずしもすべて、同一の実施形態について述べていない。さらに、特定の特徴、構造、または特性は、１つまたは複数の実施形態において、任意の適切な形で組み合わせられることが可能である。
【００１２】
例示するため、図１は、本発明の教示による、ピーク・スイッチ電流を制限する方法の実施形態を含む電源の機能ブロック図を示す。図１に示された電源のトポロジは、フライバック調整器として知られている。スイッチング調整器の多くのトポロジや構成が存在し、図１に示したフライバック・トポロジは、本発明の教示に従って他のタイプのトポロジにも適用される本発明の実施形態の諸原理を例示するために与えられていることを理解されたい。
【００１３】
図１の電源の例に示されるとおり、エネルギー伝達要素Ｔ１  １２５が、未調整の入力電圧ＶIN１０５と、電源の出力における負荷１６５との間に結合されている。スイッチＳ１  １２０が、エネルギー伝達要素１２５の入力の１次巻線１７５に結合されて、未調整の入力電圧ＶIN１０５から電源の出力における負荷１６５へのエネルギーの伝達を調整する。駆動信号１５７を生成するコントローラ１４５が、電源スイッチＳ１  １２０によってその信号が受け取られるように結合され、スイッチＳ１  １２０のスイッチングを制御するように結合される。図１の例では、エネルギー伝達要素Ｔ１  １２５は、２つの巻線を有する変圧器として示されている。１次巻線１７５は、インダクタンスＬPを有するＮPの巻数を有する。２次巻線は、ＮSの巻数を有する。一般に、変圧器は、２つより多くの巻線を有することが可能であり、追加の巻線は、追加の負荷に電力を供給したり、バイアス電圧を供給したり、または負荷における電圧を感知したりする。
【００１４】
クランプ回路１１０が、エネルギー伝達要素Ｔ１  １２５の１次巻線１７５に結合されて、スイッチＳ１  １２０にかかる最大電圧を制御する。一実施形態では、スイッチＳ１  １２０は、例えば、パワー酸化金属半導体電界効果トランジスタ（ＭＯＳＦＥＴ）などのトランジスタである。一実施形態では、コントローラ１４５は、集積回路や個別の電気部品を含む。スイッチＳ１  １２０の動作により、整流器Ｄ１  １３０内に脈動電流が生じ、その電流が、キャパシタＣ１  １３５によって濾波されて、実質的に一定の出力電圧ＶOが生じるか、または負荷１６５に実質的に一定の出力電流ＩOを生じさせる。
【００１５】
調整されるべき出力は、一般に、出力電圧ＶO、出力電流ＩO、または、この２つの組合せであるＵO１５０である。フィードバック回路１６０が、出力ＵO１５０に結合されて、コントローラ１４５への入力であるフィードバック信号ＵFB１５５を生成する。また、コントローラ１４５は、スイッチＳ１  １２０内の電流ＩD１５５を感知する電流感知１４０を受け取るように結合された電流センサも含む。例えば、変流器、または、例えば、個別の抵抗器の両端の電圧、または、例えば、トランジスタが導通している際の、トランジスタの両端の電圧などの、スイッチングされる電流を測定する多くの知られている方法のいずれかを使用して、電流ＩD１５５を測定することができる。コントローラは、電流感知信号１４０を使用して、出力ＵO１５０を調整すること、またはスイッチＳ１  １２０に対する損傷を防止することができる。
【００１６】
図１は、電流ＩD１１５に関する例示的な波形も示している。任意のスイッチング期間ＴS１９０中、スイッチＳ１  １２０は、コントローラ１４５からの駆動信号１５７に応答して導通して、出力ＵO１５０を調整する。電流ＩD１１５が、スイッチング期間ＴS１９０の始めから時間ｔON１８０の後、電流制限値ＩPEAK１９５に達すると、スイッチＳ１  １２０は、オフになり、スイッチング期間ＴS１９０の残りである時間ｔOFF１８５の間オフのままになる。電流波形は、２つの基本動作モードを示す。台形１７０は、連続導通モード（ＣＣＭ）の波形であるのに対して、三角形１７５は、不連続導通モード（ＤＣＭ）の波形である。
【００１７】
図２は、ピーク電流ＩPEAK１９０が、どのように図１の電源の最大出力電力に関係しているかを示す。ＤＣＭでは、出力電力はＩPEAKの２乗で増加する。ＣＣＭでは、出力電力は、ＩPEAKに対して直線的に増加する。電流制限値ＩPEAKは、電源の出力電力を制限するのに役立つように使用される。電流制限値ＩPEAKを制限することの難しさは、電流が制限に達する時点と、スイッチがオフになる時点との間に常に遅延が存在することである。
【００１８】
例示するため、図３は、遅延が、どのようにスイッチ内のピーク電流に影響を与えるかを示す。図３に示された例では、ＩPMAXはＩDの所望の最大値である。ＩPMAXという同一の値である電流制限しきい値ＩLIMIT1を有するコントローラは、ＩDがＩLIMIT1を超えたとき、スイッチをオフにするアクションを行う。不可避な時間遅延ｔdによって、遅延ｔdに依存し、かつ、ＩDがＩLIMIT1を超えた後、どれだけ速く変化するかにも依存する量ΔＩDELAYだけ、ＩDがＩLIMIT1を超える。電流制限ＬLIMIT1は、所望されるＩPMAXより大きいピーク電流ＩPEAK1をもたらす。遅延ｔdとＩDの変化の速度が既知であれば、ΔＩDELAYの追加でもＩPMAXより少ないピーク電流ＩPEAK2となるように、電流制限がより低い値ＩLIMIT2に補償することが可能である。
【００１９】
遅延を補償するために、低い電流制限値を使用することの面倒な問題は、一般に、ΔＩDELAYが、低い入力電圧においてより、高い入力電圧においてより大きいことである。ＩDは、入力電圧が高である場合、より大きい速度で増加するためである。したがって、高い入力電圧において、単一の補償された電力制御ＩLIMIT2を使用して、最大出力電力を所望される値に制限する電源は、低い入力電圧において、所望の最大出力電力に満たない電力を有することになる。実際、電力を制限する回路が、ＩPEAK2のような、ピーク電流に関する１つだけの所望される制限を有する場合、高い入力電圧において最大電力に関する要件を満たす設計は、低い入力電圧において、要求される電力を供給することができないであろう。
【００２０】
一実施形態の場合、電源は、本発明の教示によれば、低い入力電圧において、第１の補償された電流制限ＩLIMIT1を使用し、高い入力電圧において、第２の補償された電流制限ＩLIMIT2を使用して、広い範囲の入力電圧にわたって、最大出力電力を所望される値に制限することができる。
【００２１】
図４は、本発明の一実施形態に関して、電流ＩDと共に使用されて、電流制限が、ＩLIMIT1となるか、またはＩLIMIT2となるかを判定する例示的なタイミング信号を示す。詳細には、図４は、スイッチ電流ＩDの２つの完全なスイッチング期間Ｔ１とＴ２を、タイミング信号ＩLIM、ＩLIMMAX、ＤMAXと共に示す。図４では、電流制限信号ＩLIMは、ＩDが、電流制限よりも大きい場合はいつでも、高である。信号ＩLIMMAXは、電流信号ＩLIMと比較されて、電流制限が、ＩLIMIT1となるか、またはＩLIMIT2となるかが判定されるタイミング基準である。信号ＤMAXは、スイッチの最大オン時間を設定する。スイッチは、ＤMAXが高である場合、強制的にオフにされる。
【００２２】
図５は、本発明の教示による、図４のタイミング信号を使用する電源コントローラの一実施形態に関する流れ図である。流れは、スイッチがオフであるブロック５０５で始まる。ブロック５１０が、公称電流制限を設定し、この電流制限は、一実施形態の場合、図４でＩLIMIT1に相当し、公称入力電圧、または、低い入力電圧により適している。ブロック５１５が、フィードバック信号ＵFBを解釈して、次のスイッチング期間において、スイッチがオンになるべきか、またはオフのままであるべきかが判定される。スイッチがイネーブルにされる場合、ブロック５２０が、ブロック５２５でオンになるようにスイッチに指示する。スイッチがイネーブルにされない場合、ブロック５２０は、ブロック５４５でオフであるようにスイッチに指示する。
【００２３】
スイッチがオンになると、電流制限信号ＩLIMの状態がブロック５３５で評価される。スイッチのオン時間が、ブロック５４０で、最大許容オン時間と比較される。ブロック５４５は、ＩLIMが高い場合、またはオン時間が最大オン時間ｔDMAXを超えた場合、スイッチを即時にオフにする。スイッチがオフになった後、ブロック５５０が、スイッチがオンであった際に、動作モードがＣＣＭであったか、またはＤＣＭであったかに依存して、流れを誘導する。モードは、スイッチがオンになる前に、エネルギー伝達要素内のエネルギーが０になる場合、ＤＣＭである。一実施形態では、スイッチがディセーブルにされた単一のスイッチング期間で、エネルギーを０まで減少させるのに十分である。したがって、一実施形態では、ブロック５５０は、先行するスイッチング期間中にスイッチがイネーブルにされていたか否かについての記憶を有して、現在のスイッチング期間の始めに動作モードを決める。
【００２４】
動作モードが、ＤＣＭではなかった場合、コントローラは、ブロック５１５で、フィードバック信号の解釈を続ける。動作モードが、ＤＣＭであった場合、流れは、ブロック５５５に向かう。ブロック５５５は、電流制限に達するのにかかる時間を基準時間ｔLIMMAXと比較する。現実的な回路における遅延は、電流制限に達するのにかかる時間ｔLIMの正確な測定を妨げるが、ｔLIMのおおよその測定には、それらの遅延を含む信号を測定するだけで十分である。一実施形態の場合、図３のオン時間ｔONであるｔLIMと遅延ｔdの合計が、ブロック５５５で、基準時間ｔLIMMAXと比較するためのｔLIMの近似値として測定される。動作がＤＣＭである場合、電流は、本発明の教示によれば、入力電圧が高い場合にだけ、ｔLIMMAX未満で電流制限に達する。
【００２５】
電流制限に達するのにかかる時間が、ｔLIMMAX未満であった場合、コントローラは、ブロック５３０で、低減された電流制限を設定する。高い入力電圧に関する、低減された電流制限は、図４のＩLIMIT2に相当する。電流制限に達するのにかかる時間が、基準時間ｔLIMMAX未満ではなかった場合、コントローラは、ブロック５１０で、公称電流制限を設定する。また、基準時間ｔLIMMAX未満ではない条件は、電流が電流制限に達する前に、スイッチがオフになる場合にも当てはまり、コントローラが、ブロック５１０で、公称電流制限を設定する。
【００２６】
図６は、図５の流れ図による動作を例示するいくつかのスイッチング期間を示す。期間１で、電流制限が、公称入力電圧、または、低い入力電圧に適切な公称値ＩLIMIT1に設定されていた際に、スイッチは高い入力電圧で動作する。高い入力電圧の高いピーク電流からの余剰エネルギーにより、期間２においてコントローラがスイッチをディセーブルにする。コントローラは、期間３において、電流制限に達するのにかかる短い時間から、高い入力電圧条件を検出し、期間４において、低減された電流制限ＩLIMIT2を設定する。動作は、電流制限に達するのにかかる時間が、基準時間ｔLIMMAX未満ではないＤＣＭ動作の期間をコントローラが検出するまで、低減された電流制限で続く。期間ｎで、スイッチは、ディセーブルにされ、入力電圧が低い。コントローラは、ＤＣＭの期間において電流制限に達するのにかかる時間が、基準時間ｔLIMMAX未満ではなかったと判定している。したがって、コントローラは、期間（ｎ＋１）において電流制限を公称値ＩLIMIT1に設定する。電流は、期間（ｎ＋１）において電流制限に達せず、したがって、スイッチは、最大オン時間だけオフにされ、電流制限はＩLIMIT1のままである。電源は、期間（ｎ＋２）と期間（ｎ＋３）において、低い入力電圧と電流制限ＩLIMIT1で、ＣＣＭで動作する。
【００２７】
図７は、集積回路７００内部に電源スイッチ７３６を含む一実施形態を示す。電源スイッチ７３６は、ドレイン端子７０２とソース端子７５８の間に電流を流すＭＯＳＦＥＴである。集積回路内部の回路群が、ソース端子７５８を基準とする内部電圧ＶCC７０５から電源が供給される。一実施形態の場合、ドレイン端子７０２が、内部電圧ＶCC７０５を供給する。内部電圧ＶCCは、当業者に知られているいくつかの技術により、ドレイン端子７０２から、または集積回路の異なる端子から供給される。
【００２８】
フィードバック端子７５４が、フィードバック信号ＵFBを受け取る。変調器７５２が、フィードバック信号ＵFBを解釈して、イネーブル信号７４４を高または低に設定する。発振器７５６が、スイッチ７３６のスイッチング期間の長さと最大オン時間をそれぞれ決めるクロック信号７４８とＤMAX信号７４６を提供する。スイッチ７３６は、ＤMAX７４６が低である間オンである。スイッチ７３６は、ＤMAX７４６が高である間オフである。イネーブル信号７４４が高である場合、ＡＮＤゲート７４０が、ラッチ７３８を設定して、スイッチング期間の始めに駆動信号７５７でスイッチ７３６をオンにする。スイッチ電流ＩD７０６が電流制限を超えると、または信号ＤMAX７４６が高になると、ＯＲゲート７４２が、ラッチ７３８をリセットして、駆動信号７５７でスイッチ７３６をオフにする。
【００２９】
スイッチ電流ＩD７０６は、比較器７０４によって電流制限電圧ＶILIMITと比較される電圧ＶIDとして感知される。電流源７２８、７３０を有する抵抗器７３２が、電流制限電圧ＶILIMITを生成する。電流源７３０は、ｐチャネル・トランジスタ７２４によってオンとオフのスイッチングが行われる。一実施形態では、電流源７３０は、電流源７２８の１０分の１である。このため、電流制限電圧ＶILIMITは、電流源７３０がオンにスイッチングられた場合、１０パーセント増加して、公称電流制限を、低減された電流制限よりも１０パーセント高くする。
【００３０】
ラッチ７３８によって出力される駆動信号７５７は、ＡＮＤゲート７０８によって受け取られる前に、立ち上がりブランキング時間ｔLEB遅延７３４だけ遅延させられる。ＡＮＤゲート７０８が、電流制限比較器７０４の出力と、立ち上がりブランキング時間遅延７３４の出力とを受け取り、過電流信号７６０を提供する。立ち上がりブランキング時間ｔLEB遅延７３４は、スイッチ７３６が、浮遊キャパシタンスをドレイン端子７０２に放電できるだけ十分に長い。ドレイン端子７０２における浮遊キャパシタンスの放電は、電流制限を一時的に超えるが、電源の出力とは無関係である高いドレイン電流ＩD７０６を生じさせる可能性がある。立ち上がりブランキング時間ｔLEB遅延７３４が、スイッチ７３６がオンになった後、時間ｔLEB中に、過電流信号７６０が高になるのを防止する。図７の過電流信号７６０は、図４または図６の信号ＩLIMに相当する。
【００３１】
フリップ・フロップ７５０が、スイッチング期間の始めのイネーブル信号７４４の状態を憶えている。フリップ・フロップ７５０は、毎スイッチング期間の始めに、ＤMAX信号７４６のインバータ７２０からの出力によってクロック制御される。クロック制御されるイネーブル信号７４５の状態の、１つのスイッチング期間から次のスイッチング期間への変化が、ＸＯＲゲート７１６によって検出される。
【００３２】
ＸＯＲゲート７１６は、１つの入力に、遅延７１８をともなって、クロック制御されたイネーブル信号７４５を受け取り、クロック制御されたイネーブル信号７４５の変化が存在する場合はいつでも、ラッチ７１４を設定する。遅延７１８は、ラッチ７１４を設定する出力を提供するだけ十分に長い。一実施形態では、遅延７１８は、１０ナノ秒である。ラッチ７１４は、先行するスイッチング期間から、クロック制御されたイネーブル信号７４５の状態に変化があった場合にはいつでも、スイッチング期間の始めに設定される。
【００３３】
ラッチ７２６は、現在のスイッチング期間の始めにイネーブル信号７４４が高であった場合、セットされる。現在のスイッチング期間の始めにイネーブル信号７４４が、低であった場合、インバータ７２２がラッチ７２６をリセットする。
【００３４】
ラッチ７１４は、現在のスイッチング期間におけるＤＣＭ動作を示すためにセットされる。ＤＣＭは、ラッチ７１４の出力が高である場合に示される。ラッチ７２６は、電流制限を下げるように設定される。
【００３５】
図７の実施形態では、最大オン時間信号ＤMAX７４６は、過電流信号ＩLIM７６０と比較されて、電力制御がＩLIMIT1となるか、またはＩLIMIT2となるかを判定するタイミング基準でもある。図７の実施形態では、ｔLIMMAX＝ｔDMAXであり、図４の信号ＩLIMMAXと信号ＤMAXが同一である実施形態を表す。しかし、別の実施形態の場合、ｔLIMMAXは、図４に示される例のように、本発明の教示によれば、ｔDMAXに必ずしも等しくなくてもよいことが理解されよう。ラッチ７２６は、検出された過電流条件が全く存在しない場合、またはＤMAX７４６が低である時間中に電流制限に達しない場合、セットされない。このため、電流源７３０は、本発明の教示によれば、過電流条件が検出されない場合、トランジスタ７２４によってオンにスイッチングられたままである。
【００３６】
図７は、イネーブル信号７４４に応答して、電源スイッチ７３６のスイッチング・サイクルをスキップすることができるスイッチング調整器を使用する、本発明の例のための集積回路７００を示すが、本発明の教示によれば、集積回路の他の例も、特許請求の範囲に含まれることは理解されよう。例えば、パルス幅変調（ＰＷＭ）調整回路も、本発明の教示によれば、範囲に含まれる。例えば、例示的なＰＷＭコントローラは、本発明の教示によれば、電流が、２つの値の間を移行するのにどれだけの時間がかかるかを測定することにより、入力電圧の大きさを推定し、次いで、可変の電流制限を調整する。
【００３７】
以上の詳細な説明では、本発明の方法および装置を、本発明の特定の例示的な実施形態に関連して説明してきた。しかし、本発明のより広い趣旨および範囲を逸脱することなく、その実施形態に様々な改変および変更を加えることも可能であることが明白であろう。したがって、本明細書および図は、限定的ではなく、例示的であると見なされるものとする。
【図面の簡単な説明】
【００３８】
【図１】本発明の教示による、出力電力を制限することができるスイッチング電源の一実施形態の機能ブロック図である。
【図２】スイッチのピーク電流に関するスイッチング電源の一実施形態に関する送電容量のグラフである。
【図３】本発明の教示によるスイッチング電源の一実施形態に関するスイッチ内の電流の波形を示す図である。
【図４】本発明の教示による、出力電力を制限することができる電源のスイッチ内の電流のパラメータと共にタイミング信号のパラメータを示す図である。
【図５】本発明の教示によるスイッチング電源の出力電力を制限する方法を示す流れ図である。
【図６】本発明の一実施形態の動作を示す、スイッチング電源のスイッチ内の電流の波形と共にタイミング信号を示す図である。
【図７】集積回路内部に電源スイッチを含める本発明の一実施形態の機能ブロック図である。
【符号の説明】
【００３９】
１１０  クランプ回路、１２０  電源スイッチ、１２５  エネルギー伝達要素、１３０  整流器、１３５  キャパシタ、１４５  コントローラ回路、１６０  フィードバック回路、１６５  負荷、１７５  巻線
【図１】
0005197934.tif 000002
【図２】
0005197934.tif 000003
【図３】
0005197934.tif 000004
【図４】
0005197934.tif 000005
【図５】
0005197934.tif 000006
【図６】
0005197934.tif 000007
【図７】
0005197934.tif 000008